(57)【要約】【課題】  ディスク状記録媒体の損傷を防止するとともに、ディスク状記録媒体の円滑な挿入・排出を可能とする。【解決手段】  ディスク状記録媒体２の信号記録面と平行な方向からディスク状記録媒体２が挿入され、ディスク状記録媒体２の一部又は全部を載置するディスクトレイ部７ａと、ディスクトレイ７ａに略同一平面内に設けられ、挿入されたディスク状記録媒体２の挿入端側と反対側に向けて突出して形成されたガイド片７ｃとを有し、このガイド片７ｃには、上記反対側の先端側に向けて厚みが薄くなる方向に傾斜されて形成される傾斜面部７ｅ，７ｆが両面に形成され、ディスクトレイ部７ａのディスク状記録媒体２を載置する面には、ガイド片７ｃを除いて保護部材８が設けられている。【選択図】  図４
2008016135.tif 000002
【特許請求の範囲】
【請求項１】
ディスク状記録媒体の信号記録面と平行な方向から上記ディスク状記録媒体が挿入され、上記ディスク状記録媒体の一部又は全部を載置するディスクトレイ部と、上記ディスクトレイ部に略同一平面内に設けられ、挿入されたディスク状記録媒体の挿入端側と反対側に向けて突出して形成されたガイド片とを有し、
上記ガイド片には、上記反対側の先端側に向けて厚みが薄くなる方向に傾斜されて形成される傾斜面部が両面に形成され、
上記ディスクトレイ部のディスク状記録媒体を載置する面には、保護部材が設けられているディスクトレイ。
【請求項２】
上記保護部材は、上記ガイド片を除いて設けられている請求項１記載のディスクトレイ。
【請求項３】
上記ディスクトレイ部には、少なくとも載置されるディスク状記録媒体の中心部分に対向する位置に切り欠き部が設けられ、
上記ディスクトレイ部の切り欠き部には、上記挿入端側に向けて、上記ガイド片と反対側の位置に上記ディスクトレイ部と略同一平面内に突出して形成された第２のガイド片が設けられ、
上記第２のガイド片には、上記挿入端側の先端側に向けてディスク状記録媒体から離間する方向に向けて傾斜されて形成されている傾斜面部が形成され、
上記保護部材は、上記第２のガイド片を除いて設けられている請求項１記載のディスクトレイ。
【請求項４】
上記ディスクトレイ部が上記ディスク状記録媒体の信号記録面に直交する方向に複数積み重ねられて設けられた請求項１又は請求項３記載のディスクトレイ。
【請求項５】
上記ディスクトレイ部は、上記ディスク状記録媒体の周縁部の少なくとも上記反対側の略半周に亘って所定の幅で形成され、
上記保護部材は、上記ディスクトレイ部の内周部の端部を除いて設けられている請求項１記載のディスクトレイ。
【請求項６】
複数のディスク状記録媒体がそれぞれ載置される複数のディスクトレイを有し、複数のディスク状記録媒体が収納されるディスク収納部と、
上記ディスク収納部に収納されるディスク状記録媒体に対して信号の記録及び／又は再生を行う記録及び／又は再生部とを備え、
上記ディスクトレイは、ディスク状記録媒体の信号記録面と平行な方向から上記ディスク状記録媒体が挿入され、上記ディスク状記録媒体の一部又は全部を載置するディスクトレイ部と、上記ディスクトレイ部に略同一平面内に設けられ、挿入されたディスク状記録媒体の挿入端側と反対側に向けて突出して形成されたガイド片とを有し、
上記ガイド片には、上記反対側の先端側に向けて厚みが薄くなる方向に傾斜されて形成される傾斜面部が両面に形成され、
上記ディスクトレイ部のディスク状記録媒体を載置する面には、保護部材が設けられているディスクドライブ装置。
【請求項７】
複数のディスク状記録媒体がそれぞれ載置される複数のディスクトレイを有し、複数のディスク状記録媒体が収納されるディスク収納部と、
上記ディスク収納部に収納される複数のディスク状記録媒体のうち、何れか１枚を選択するディスク選択手段と、
上記ディスク選択手段で選択されたディスク状記録媒体に対して信号の記録及び／又は再生を行う記録及び／又は再生部とを備え、
上記ディスクトレイは、ディスク状記録媒体の信号記録面と平行な方向から上記ディスク状記録媒体が挿入され、上記ディスク状記録媒体の一部又は全部を載置するディスクトレイ部と、上記ディスクトレイ部に略同一平面内に設けられ、挿入されたディスク状記録媒体の挿入端側と反対側に向けて突出して形成されたガイド片とを有し、
上記ガイド片には、上記反対側の先端側に向けて厚みが薄くなる方向に傾斜されて形成される傾斜面部が両面に形成され、
上記ディスクトレイ部のディスク状記録媒体を載置する面には、保護部材が設けられているディスクチェンジャー装置。
【発明の詳細な説明】
【技術分野】
【０００１】
本発明は、ディスク状記録媒体を収納するディスクトレイ、このようなディスクトレイを複数有し、収納されたディスク状記録媒体に対して信号の記録及び／又は再生を行うディスクドライブ装置、並びに、このようなディスクトレイを複数有し、収納された複数のディスク状記録媒体のうち何れか１枚を選択して信号の記録及び／又は再生を行うディスクチェンジャー装置に関する。
【背景技術】
【０００２】
従来、車載用の音響機器として、複数枚のディスク状記録媒体の中から任意のディスク状記録媒体を選択して再生することができる、いわゆるディスクチェンジャー装置がある。
【０００３】
このディスクチェンジャー装置は、例えばコンパクトディスク（ＣＤ：Ｃｏｍｐａｃｔ Ｄｉｓｋ）等のディスク状記録媒体を複数枚毎にまとめてマガジンケースに収納しておき、このマガジンケースごと装置本体に搭載する仕組みとなっている。このため、ディスクチェンジャー装置では、比較的大きくなる装置本体を、例えばトランク等といった車室とは別の位置に設置しておき、操作に必要な部分のみを車室内に設置したものが一般的となっている。この場合、ディスクの交換を車室内で行うことができず、また、マガジンケースを装置本体から取り外してディスクを交換しなければならないことから、大変面倒であった。
【０００４】
そこで、車載用のディスクチェンジャー装置として、いわゆる１ＤＩＮサイズと呼ばれる一定の規格寸法に収められた装置本体に、例えば６枚のディスクをまとめて収納することを可能とした小型ディスクチェンジャー装置が提案されている。
【０００５】
このディスクチェンジャー装置では、上述したマガジンケースを用いることなく、装置本体を一定の規格寸法に収めることにより、車室内のセンターパネルに設けられた規格化された収納空間に設置することが可能となっている。これにより、車室内でのディスクの交換が可能となり、さらなる利便性の向上が図られている。
【０００６】
具体的に、このディスクチェンジャー装置は、図１８に示すように、装置本体２００の内部に、ディスク２０１を収納するためのディスク収納部２０２を有し、このディスク収納部２０２には、例えば６枚のトレイ２０３が積み重ねられた状態で配置されている。また、この装置本体２００の前面には、ディスク挿脱口２０４が設けられ、このディスク挿入口２０４から挿入されたディスク２０１がトレイ２０３上に載置されることになる。
【０００７】
また、このディスクチェンジャー装置は、選択されたディスクの再生を行うピックアップ装置２０５を備えており、このピックアップ装置２０５は、選択されたディスク２０１を挟み込みながら、回転自在に保持する一対のチャックレバー２０６ａ，２０６ｂと、下方に位置するチャックレバー２０６ａのディスク２０１と対向する面上にピックアップユニット２０７とを有している。
【０００８】
このディスクチェンジャー装置では、積み重ねられたトレイ２０３の中から、選択されたディスク２０１の上下に、一対のチャックレバー２０６ａ，２０６ｂが進入するのに十分な空間が形成される。そして、一対のチャックレバー２０６ａ，２０６ａにディスク２０１が挟み込まれると、ディスク２０１が回転駆動され、このディスク２０１に対してピックアップユニット２０７が信号の再生を行うことになる。
【０００９】
また、トレイ２０３のディスク２０１を載置するディスク載置面には、ディスク２０１を傷つけないための緩衝材として保護層が設けられていた。この保護層により、ディスク状記録媒体が損傷してしまうことを防止している。
【００１０】
ところで、上述したディスクチェンジャー装置では、トレイ２０３が薄型化されたため、トレイ２０３を挿入する部分の寸法も極力小さくされ、ディスク２０１の厚み方向の寸法に近づけられている。そのため、ディスク２０３を挿入・排出する際の高さ方向の位置管理に厳しい条件が課せられることとなる。すなわち、ディスク挿入時の高さ位置がずれていた場合には、円滑な挿入ができず、ディスク排出時の高さ位置がずれていた場合には、排出するためのローラ等によりディスクに負荷がかかるおそれがあった。
【００１１】
その一方で、ディスクチェンジャー装置には、ディスクの最適な挿脱環境が要求されている。このように、薄型化されたディスクチェンジャー装置において、最適な挿脱環境のために、ディスクトレイと、ディスク挿脱口との高さ位置管理が非常に厳しく、この位置管理が最適になされない場合には、ディスクの挿脱環境を悪化するおそれがあった。
【００１２】
【特許文献１】国際公開第２００２／０８６８８３号パンフレット
【発明の開示】
【発明が解決しようとする課題】
【００１３】
本発明の目的は、ディスク状記録媒体の損傷を防止するとともに、ディスク状記録媒体の円滑な挿入・排出を可能とするディスクトレイ、ディスクドライブ装置及びディスクチェンジャー装置を提供することにある。
【課題を解決するための手段】
【００１４】
本発明に係るディスクトレイは、ディスク状記録媒体の信号記録面と平行な方向から上記ディスク状記録媒体が挿入され、上記ディスク状記録媒体の一部又は全部を載置するディスクトレイ部と、上記ディスクトレイ部に略同一平面内に設けられ、挿入されたディスク状記録媒体の挿入端側と反対側に向けて突出して形成されたガイド片とを有し、上記ガイド片には、上記反対側の先端側に向けて厚みが薄くなる方向に傾斜されて形成される傾斜面部が両面に形成され、上記ディスクトレイ部のディスク状記録媒体を載置する面には、保護部材が設けられているディスクトレイ。
【００１５】
本発明に係るディスクドライブ装置は、複数のディスク状記録媒体がそれぞれ載置される複数のディスクトレイを有し、複数のディスク状記録媒体が収納されるディスク収納部と、上記ディスク収納部に収納されるディスク状記録媒体に対して信号の記録及び／又は再生を行う記録及び／又は再生部とを備え、このディスクドライブ装置に用いるディスクトレイとして、上述したようなものを用いたものである。
【００１６】
本発明に係るディスクチェンジャー装置は、複数のディスク状記録媒体がそれぞれ載置される複数のディスクトレイを有し、複数のディスク状記録媒体が収納されるディスク収納部と、上記ディスク収納部に収納される複数のディスク状記録媒体のうち、何れか１枚を選択するディスク選択手段と、上記ディスク選択手段で選択されたディスク状記録媒体に対して信号の記録及び／又は再生を行う記録及び／又は再生部とを備え、このディスクチェンジャー装置に用いるディスクトレイとして、上述したようなものを用いたものである。
【発明の効果】
【００１７】
本発明に係るディスクトレイは、ディスク状記録媒体を載置するディスクトレイ部に同一平面内に設けられ、挿入されたディスク状記録媒体の挿入端側と反対側に向けて突出して形成されたガイド片を有し、このガイド片に傾斜面が形成され、ディスクトレイ部のディスク状記録媒体を載置する面には、保護部材が設けられていることで、保護部材により、ディスク状記録媒体の損傷を防止するとともに、ガイド片の傾斜面部をディスク状記録媒体の挿排出のガイドとすることにより、ディスク状記録媒体の確実且つ円滑な挿入・排出を実現する。
【００１８】
本発明に係るディスクドライブ装置及びディスクチェンジャー装置は、上述したディスクトレイを有することによりディスクの損傷を防止することで品質の向上を実現するとともに、小型化・軽量化を実現する。
【発明を実施するための最良の形態】
【００１９】
以下、本発明を適用したディスクトレイ、ディスクドライブ装置、ディスクチェンジャー装置を図面を参照して具体的に説明する。
【００２０】
本発明を適用したディスクチェンジャー装置は、図１に示すように、いわゆる１ＤＩＮサイズと呼ばれる一定の規格寸法に収められた装置本体１に、例えば６枚のＣＤ（Ｃｏｍｐａｃｔ Ｄｉｓｋ）等のディスク状記録媒体（以下、「ディスク」という。）２をまとめて収納することを可能とした小型ディスクチェンジャー装置である。そして、このディスクチェンジャー装置は、６枚のディスク２の中から任意のディスク２を選択して再生することが可能となっている。
【００２１】
また、このディスクチェンジャー装置は、装置本体１を一定の規格寸法に収めることにより、車室内のセンターパネルに設けられた規格化された収納空間に設置されている。これにより、車室内でのディスク２の交換が可能となり、さらなる利便性の向上が図られている。
【００２２】
以下、このディスクチェンジャー装置の具体的な構造について説明する。
【００２３】
尚、図１は、ディスクチェンジャー装置の装置本体１の外観を示す斜視図である。また、装置本体１は、本来、その筐体の前面に操作ボタン等を備えた操作パネルが設けられ、その筐体自体が外装ケースで被覆された構造となっているが、便宜上、操作パネル及び外装ケースの図示を省略するものとする。
【００２４】
このディスクチェンジャー装置において、装置本体１は、図１及び図２に示すように、略矩形状の底板１ａと、この底板１ａの両側縁部から上方に向かって立設されると共に、底板１ａと一体に成形されてなる一対の側板１ｂ，１ｃと、これら底板１ａ及び側板１ｂ，１ｃの前面側の端縁部に沿って取り付けられた前面板１ｄと、底板１ａと対向すると共に、これら側板１ｂ，１ｃ及び前面板１ｄの上面側の端縁部に沿って取り付けられた天井板１ｅとから、背面側を開放しながら全体略箱状の筐体を構成している。尚、図２は、装置本体１の内部構造を示す分解斜視図である。
【００２５】
この装置本体１は、上述した筐体の内部に、ディスク２を収納するためのディスク収納部３と、前面板１ｄに設けられたディスク挿脱口４を通して、ディスク収納部３に対してディスク２の信号記録面と平行な方向からディスク２の挿脱を行うディスク挿脱装置５と、ディスク収納部３に収納されたディスク２のうち、何れか１枚を選択して信号の再生を行う記録及び／又は再生装置であるピックアップ装置６とを備えている。
【００２６】
ディスク収納部３には、図１及び図３に示すように、ディスク挿脱口４に臨む筐体内の前面側に、ディスク２が載置される６枚のディスクトレイ（以下、「トレイ」という。）７が積み重ねられた状態で配置されている。尚、図３は、ディスク収納部３の構造を示す分解斜視図である。
【００２７】
最上段のトレイ７と、最上段以外のトレイ７とは、異なる構造を有しているが、最上段のトレイ７は、最上段以外のトレイ７の構成を全て備えるので、まず、最上段以外のトレイについて図４を用いて説明する。
【００２８】
トレイ７は、図４に示すように薄いアルミ板、ステンレス等の金属材料或いは樹脂材料等により平板状に形成されるディスクトレイ部７ａと、ディスクトレイ部７ａの両側の上面に取り付けられるガイド部材としての一対の樹脂部材９と、この一対の樹脂部材９の上面に沿って前面側がネジ等により固定された状態で片持ち支持された状態で取り付けられているバネ手段としての板バネ１１とを有して形成されている。
【００２９】
この一対の樹脂部材９は、ディスクトレイ部７ａ上に載置されるディスク２と略同一の厚みを有し、その側板１ｂ，１ｃと対向する面には、ディスクトレイ部７ａと略平行に並ぶ一対のピン１０ａ，１０ｂが、それぞれ側板１ｂ，１ｃに向かって突出して形成されている。ピン１０ａ，１０ｂは、樹脂部材９の中間部と背面側とに形成されており、中間部のピン１０ａは長く、背面側のピン１０ｂは短い。
【００３０】
ディスクトレイ部７ａは、ディスク２の信号記録面と平行な方向から図４中矢印Ｄ１方向にディスク２が挿入され、ディスク２の周縁を支持するものである。そして、このディスクトレイ部７ａには、ディスクトレイ部７ａに対して挿入されたディスク２のディスク挿入端側Ｓ１を開放した開放部７ｊが形成されている。
【００３１】
すなわち、このディスクトレイ部７ａは、ディスク２の一端側を突出させて支持するように切り欠かれた形状を有するとともに、ディスク２の中心部分に対向する位置に、載置したディスク２を後述するチャックレバー５９によりチャッキングを行うための切り欠き部７ｂが設けられている。すなわち、ディスクトレイ部７ａは、ディスク２の周縁部の少なくとも上述したディスク挿入端側Ｓ１の反対側Ｓ２の部分に亘って所定の幅で形成されて、この部分でディスク２を支持している。ここで、ディスクトレイ部７ａは、ディスク２の周縁部を支持するのに必要な機械的強度が足りる大きさで、半径方向の所定の幅を小さくすることで、装置全体の軽量化、材料の低コスト化、及びこのディスクトレイ部７ａに形成される保護部材としての後述する樹脂層８の量を少なくすることを可能とする。
【００３２】
また、ディスクトレイ部７ａには、ディスク挿脱口４側、すなわち上述した反対側Ｓ２にディスクトレイ部７ａと略同一平面内に突出して形成された第１のガイド片７ｃと、ディスク挿入端側Ｓ１に向けて、第１のガイド片７ｃと反対側の位置にディスクトレイ部７ａと略同一平面内に突出して形成された第２のガイド片７ｄとが設けられている。
【００３３】
第１のガイド片７ｃには、図４及び図５に示すように、上述した反対側Ｓ２の先端側に向けて厚みが薄くなる方向に傾斜されて形成される傾斜面部７ｅ，７ｆが両面に形成されている。
【００３４】
第１のガイド片７ｃは、ディスク２の挿入・排出時におけるガイドを行うものであり、ディスク２の円滑な挿入・排出を実現するものである。例えば、図６に示すように、ディスク２が挿入される際に、ディスクトレイ部７ａのディスク２を載置する面と、ディスク２の下面との高さの位置がずれていた場合にも、この第１のガイド片７ｃの傾斜面７ｅに沿ってディスク２の高さが修正されることにより、確実にディスクトレイ部７ａにディスク２を載置させることが可能となる。尚、ディスクトレイ部７ａのディスク載置面側と反対側、すなわち、下面側に設けられた傾斜面部７ｆは、そのディスクトレイ部７ａの下の段のディスクトレイ部７ａにディスク２が挿入されたときのガイドとしての機能を有するものである。また、ディスク２が排出される際にも、ディスクトレイ部７ａのディスク載置面と、後述するディスク挿脱用のローラ３０，３１の位置が僅かにずれていた場合にも、ディスク２に負荷がかかることなく円滑に排出することを可能とする。ここでは、ガイドとしての機能をより高めるために第１のガイド片７ｃの両面に傾斜面７ｅ、７ｆを設けるように構成したが、少なくともいずれか一方の傾斜面を設ければ上述のような効果を得ることができ、また、最下段のディスクトレイ部においては傾斜面部７ｆを設けなくても同等の効果を得ることができる。
【００３５】
第２のガイド片７ｄには、図４及び図５に示すように、ディスク２の中心側である先端側に向けて、ディスクトレイ部７ａに載置されるディスク２から離間する方向に向けて傾斜されて形成される傾斜面部７ｇを有する。
【００３６】
この第２のガイド片７ｄは、ディスク２の排出時におけるガイドを行うものであり、ディスク２の円滑な排出を実現するものである。すなわち、ディスク２のチャッキングを行う部分であるリブ２ｂ（図７参照）は、一般的には、略円錐形状の斜面を有して形成されているが、厳密な規格がなく、個々のディスク２の製作誤差や、製造ラインによりバラツキがあり、例えば、この部分が略ディスク面に対して直交する側面を有した略円筒状に形成されている場合がある。
【００３７】
このような場合に、図７（ｂ）に示すように、ディスクトレイ部７ａから排出方向にディスク２が移動された際に、ディスクトレイ部７ａの切り欠き部７ｂが設けられた側の縁部、すなわち内周部分に当接して引っかかりが生じ、これが原因で排出が円滑に行われないことがあり、さらには、排出ができなくなることもあった。尚、図７（ｂ）は、本発明を適用したディスクトレイ７と比較するための比較例のディスクトレイを示す図である。また、この比較例のディスクトレイは、第２のガイド片７ｄ及び傾斜部７ｇが設けられていないディスクトレイである。第２のガイド片７ｄは、かかる問題を解決するものであり、図７（ａ）に示すように、ディスクトレイ部７ａの内周側に第２のガイド片７ｄ及び傾斜面部７ｇを設け、ディスク２の下方に突出したリブ２ｂをガイドして、円滑な排出を実現するものである。このとき、傾斜面部７ｇの高さＨ１と、後述する樹脂層８の厚みＨ２との和である（Ｈ１＋Ｈ２）をディスク２のリブ２ｂの高さＨ３（＝０．４ｍｍ）より大きくなるように設定することでより確実にディスク２の排出を可能とする。
【００３８】
尚、上述した第１のガイド片７ｃについてもここで説明した第２のガイド片７ｄと同様に、挿入時のリブ２ｂのガイドとしても機能とする。
【００３９】
また、このディスクトレイ部７ａのディスク２を載置する面には、第１及び第２のガイド片７ｃ，７ｄ及びディスクトレイ部７ａの内周部７ｊを除いて、ディスク２よりも柔らかい樹脂層８が保護部材として形成されている。この樹脂層８は、例えば、メタルマスク印刷、シルクスクリーン印刷等のスクリーン印刷、タンポ印刷等の印刷によりディスクトレイ部７ａのディスク載置面に形成されているが、これに限られるものではなく、塗装、貼り付け等により形成するようにしてもよい。さらに、保護部材として樹脂層８を設けるように構成したが、保護部材は、これに限られるものではなく、滑り性等を考慮した上で、ゴム等の軟らかい部材であればよく、ディスク２の損傷を防止する緩衝材としての機能を有するものであればよい。
【００４０】
ここで、この保護部材としての樹脂層８について、具体的に説明する。ディスク２は、そのディスク基板が、例えばポリカーボネート（ＰＣ）からなる場合、そのゴム硬度は、９５ＩＲＨＤであり、その鉛筆硬度は、Ｂ〜２Ｂである。なお、ここでいうゴム硬度とは、国際ゴム硬度ＩＲＨＤ（Ｉｎｔｅｒｎａｔｉｏｎａｌ Ｒｕｂｂｅｒ Ｈａｒｄｎｅｓｓ Ｄｅｇｒｅｅ）のことであり、鉛筆硬度とは、実際に硬さの異なる鉛筆を用いて引っ掻き試験を行い、引っ掻き傷の発生の有無によって判断される硬度である。
【００４１】
この場合、ポリカーボネートからなるディスク２よりも軟らかい鉛筆硬度３Ｂ以下となる樹脂層８を形成すれば、ディスク２の接触による損傷等を防止することができる。さらに好ましくは、鉛筆硬度６Ｂ以下となる樹脂層８を形成することにより、ディスク２に対する傷等の発生を確実に防止することができる。
【００４２】
一方、この樹脂層８のゴム硬度は、９５ＩＲＨＤよりも軟らかくする必要がある。しかしながら、この樹脂層８のゴム硬度を軟らかくすると、ディスク２との摩擦抵抗が大きくなってしまう。したがって、この樹脂層８のゴム硬度は、上述したトレイ７上にディスク２を載置させる動作並びにトレイ７上からディスク２を離間させる動作を妨げない６０ＩＲＨＤ以上とすることが好ましい。さらに好ましくは、この樹脂層８のゴム硬度を、７０ＩＲＨＤ以上且つ７５ＩＲＨＤ以下の範囲とすれば、ディスク２との摩擦抵抗を良好なものとし、且つ、ディスク２との接触による損傷等を防止することができる。
【００４３】
また、この樹脂層８を印刷により形成する場合は、極めて薄く形成することができ、トレイ７から剥離するといった問題も回避することができる。
【００４４】
この樹脂層８の印刷方法として、例えば、シルクスクリーン印刷の場合には、まず、塗液の調整を行い、次に、この塗液をスクリーン印刷機を用いてトレイ７上に印刷し、次に、紫外線照射機を用いてトレイ７上に印刷された塗液に紫外線を照射することによって樹脂層８を硬化させる。
【００４５】
この樹脂層８の材料として、例えば、ポリカーボネートよりも軟らかい樹脂であるウレタン系の紫外線硬化（ＵＶ）樹脂に、弾性を持たせるための架橋されたゴム粒子（有機架橋弾性フィラー）が含有されてなるものを用いている。具体的には、ウレタンＵＶ樹脂として、武田薬品社製のタケラックＵＶ−９２０３（ゴム硬度７０ＩＲＨＤ）を用い、これに有機架橋弾性フィラーとして、東レ・ダウコーニング・シリコーン社製のトレフィルＥ−６００（平均粒径３μｍ）を混練させたものを塗液として用いている。なお、エポキシ樹脂やアクリル樹脂等は、その鉛筆硬度がＨ〜３Ｈと高く、上述した樹脂層８の材料としては不向きである。
【００４６】
また、この塗液の粘度は、２０Ｐａ・ｓ以上且つ１００Ｐａ・ｓ以下の範囲とすることが好ましい。これは、塗液の粘度が２０Ｐａ・ｓよりも低くなると、印刷後に流動してしまい、所定の厚みを確保することが困難となる一方、塗液の粘度が１００Ｐａ・ｓよりも高くなると、トレイ７への塗液の適切な転写が困難となるからである。
【００４７】
さらに好ましくは、この塗液の粘度を、３０Ｐａ・ｓ以上且つ４０Ｐａ・ｓ以下の範囲とする。これにより、樹脂層８の表面には、スクリーン印刷時のスクリーンによる布目（紗パターン）が転写される。したがって、最終的に硬化された樹脂層８の表面には、多数の凹凸パターンが形成されることになり、この多数の凹凸パターンにより、樹脂層８とディスク２との接触時における滑り性を良好なものとすることができる。以上のようにして、トレイ７上に、樹脂層８を精度よく形成することができる。以上のように構成される樹脂層８は、ディスク２の損傷を防止することができる。
【００４８】
また、上述のように、ディスクトレイ部７ａの内周部７ｊを除いて樹脂層８を形成したことにより、第２のガイド片７ｄの傾斜面部７ｇに沿ってディスク２が排出された際にも、ディスク２に樹脂層８の削れによる付着等を防止できる。すなわち、内周部７ｊにも樹脂層８が形成された場合には、傾斜面部７ｇに沿ってディスク２が排出された場合、この内周部７ｊ付近の樹脂層８のエッジがディスク２と摺接することで削れてしまい、この削れた樹脂層８がディスク２に付着してしまうおそれがあった。このトレイ７では、内周部７ｊに樹脂層８が形成されていないので、このような問題が発生してしまうことを防止することができる。
【００４９】
また、図４及び図５に示すように、ディスクトレイ部７ａのディスク２を突出させる側の端部、すなわち、挿入端側Ｓ１に開放された開放部７ｊが形成された側の端部には、先端に向けてディスク２から離間する方向に向けて傾斜された傾斜面部７ｈが形成されている。換言すると、ディスクトレイ部７ａの突出して載置されたディスク２のせり出した部分と、載置した部分との境界部分に傾斜面部７ｈが形成されている。上述の樹脂層８は、この傾斜面部７ｈの上にも形成されている。
【００５０】
この傾斜面部７ｈは、装置に衝撃等が加わった場合にディスク２が振動した際の、ディスク２の損傷を防止する。すなわち、トレイ７は、上述したように、ディスクトレイ部７ａからディスク２を突出させるように切り欠かれた形状とすることで、トレイ７のディスク挿脱方向の寸法を小さくすることを実現するものである。しかし、このように切り欠かれた形状とされたディスクトレイ部７ａの開放部が形成された側の端部は、図８（ｂ）に示すように、ディスク２が振動した場合にディスク２を損傷する、又は樹脂層８の粒子がディスク２に付着するおそれがあった。尚、図８（ｂ）は、本発明を適用したディスクトレイ７と比較するための比較例のディスクトレイを示す図である。上述したように、このディスクトレイ部７ａには、開放部７ｊが形成された側の端部に傾斜面部７ｈが設けられていることから、図８（ａ）に示すように、この傾斜面部７ｈの面により振動したディスク２の衝撃を受ける構成とすることでディスク２の損傷及びディスク２への樹脂層の粒子の付着を防止する。
【００５１】
また、この傾斜面部７ｈは、十分に小型化を実現するトレイ７の構造に起因するディスク２の振動による損傷を防止する。すなわち、このトレイ７は、上述のように、ディスクトレイ部７ａをディスク全面に亘って支持するのではなく、ディスク２のディスク挿脱口４側の略半周に亘って所定の幅で形成して支持することでディスク挿入方向Ｄ１の寸法を抑えて小型化・重量化を図るとともに、後述のように載置されたディスク２をディスク挿入方向Ｄ１と略直交する位置の両端部にディスクトレイ部７ａから立ち上がり形成される立ち上がり部として樹脂部材９と、この樹脂部材９に設けられディスクトレイ部７ａと反対側からディスク２を２点支持して押える後述する押え片部１１ａとにより、トレイ７の厚み方向の寸法を抑えて小型化を図るとともにトレイとしての収納する機能を実現するものであるが、この構造に起因して装置全体に衝撃が発生した場合のディスク２の揺動動作によるディスク２の損傷を防止することができる。
【００５２】
ディスクトレイ部７ａは、所謂打ち抜きプレスにより、素材から打ち抜きをすることにより、上述の切り欠き部７ｂ等を有するような所望の形状に形成されるが、この際同時に、プレス型により上述の第１のガイド片７ｃの傾斜面部７ｅ，７ｆ、第２のガイド片７ｄの傾斜面部７ｇ、及び端部に設けられる傾斜面部７ｈが同時に形成される。よって、このトレイ７は、製作工程を増やすことなく、上述のような傾斜面部７ｅ，７ｆ，７ｇ，７ｈを形成して、上述のような効果を得ることができるものである。尚、ここでは、プレス打ち抜きにより所定の形状及び各傾斜面を形成するようにしたが、これに限られるものではなく、そのたの打ち抜き加工により形成するようにしてもよい。また、上述した傾斜面部７ｅ，７ｆ，７ｇ，７ｈは、その断面が直線的となるように傾斜させたＣ面である傾斜面としても若しくは曲線的となるように傾斜させたＲ面である傾斜面としてもよく、または湾曲させるように形成してもよい。
【００５３】
一対の樹脂部材９には、長手方向の前面側及び背面側に位置して、ディスクトレイ部７ａ及び樹脂部材９を貫通する一対の貫通孔１２が穿設されている。一方、ディスク収納部３には、これら貫通孔１２に挿通される４本のガイド支柱１３が底板１ａと天井板１ｅとを連結した状態で取り付けられている。そして、６枚のトレイ７は、それぞれの貫通孔１２に４本のガイド支柱１３が挿通された状態で積み重ねられており、これらガイド支柱１３に沿って移動自在に支持されている。
【００５４】
次に、最上段以外のトレイ７に用いられる板バネ１１について説明する。尚、最上段のトレイ７に用いられる板バネ１１と、最上段以外のトレイ７に用いられる板バネ１１とは、異なる構造を有しているが、最上段のトレイ７に用いられる板バネ１１は、最上段以外のトレイ７に用いられる板バネ１１の構成を全て備えるので、まず、最上段以外のトレイに用いられる板バネ１１について図９（ａ）を用いて説明する。尚、図９（ｂ）は、最上段のトレイ７に用いられる板バネ１１を示す。
【００５５】
図９（ａ）に示すように、最上段以外のトレイ７に用いられる板バネ１１は、長手方向の前面側の一端部を固定端とし、自由端となる背面側に、ディスクトレイ部７ａに載置されるディスク側に向かって突出して形成されるディスク２を押える押え片部１１ａを有している。そして、板バネ１１は、中間部の外側には後述する分離カム５３の下面５３ｃによって下方へ押さえられる受け部となる折曲片部１１ｂと、後述する分離カム５３の上段に設けられた第１の嵌入部５５ａの下面によって上方へ向かう力を受ける受け部となる折曲片部１１ｃとを有している。
【００５６】
板バネ１１における押え片部１１ａの部分の構成を説明する。押え片部１１ａは、他の部分よりも少しディスクトレイ部７ａからの高さが高くなるように曲げて形成されており、ディスク２の上面に当接する部分には下方へ突出する畝状突出部１１ｄが形成されている。トレイ７の上へディスク２が押し込まれる際に、ディスク２が押え片部１１ａの下側へ挿入されるようにするガイド部１１ｅが押え片部１１ａの内側の傾斜した部分に立ち上がるように形成されている。ディスク２の中心はディスク２が当接する一対の樹脂部材９の背面内側の一対の位置決め部９ｃによって決定されるが、何らかの原因により板バネ１１の背面側が持ち上げられてディスク２が樹脂部材９の上に載ると、背面側へディスク２が移動可能となって、ディスク２の位置決めがされなくなってしまう。このため、板バネ１１の背面側が樹脂部材９の背面側の端面の位置で下方へ向かって折り曲げられて補助位置決め部１１ｆを構成している。この補助位置決め部１１ｆから背面側へ突出するようにしてディスク２に当接する当接部１１ｇが形成され、板バネ１１によってディスク２が傷付かないようにＲ部を構成している。押え片部１１ａに形成された畝状突出部１１ｄは、ディスク２の上面に当接する部分に設けられ、ディスク２をディスクトレイ部７ａとの間で挟み込むために形成されている。
【００５７】
次に、図１０を用いて最上段のトレイ７について説明する。尚、最上段のトレイ７は、以下に述べる構成が上述の２段目以降のトレイ７と異なる以外は、上述と同様の構成を有するものであるので、同じ符号を付して詳細な説明を省略する。
【００５８】
最上段のトレイ７の一対の樹脂部材９には、長手方向の両端部、すなわち一対の樹脂部材９に穿設された貫通孔１２のさらに前面側及び背面側に位置して、下方に向かって突出形成された略円筒状のバネ受部９ａを有している。このバネ受部９ａには、図１、図３及び図１１に示すように、上端開口部から内部へとコイルバネ１５が挿入されるとともに、このコイルバネ１５を内部に保持するため、底面部分にはガイド支柱１４を挿通させる挿通孔９ｂが形成されている。一方、ディスク収納部３には、これらバネ受部９ａに挿通される４本のガイド支柱１４が底板１ａと天井板１ｅとを連結した状態で取り付けられている。
【００５９】
最上段のトレイ７は、それぞれのバネ受部９ａにコイルバネ１５が突出した状態で挿入されており、このコイルバネ１５が挿入されたバネ受部９ａに４本のガイド支柱１４が挿通されることで、コイルバネ１５の圧縮によりガイド支柱１４に沿って下方側へと付勢されている。
【００６０】
最上段のトレイ７の板バネ１１は、図９（ｂ）に示すように、ディスク挿脱口４側の端部に最上段のトレイ７に載置されるディスク２の上面側の位置決めを行う搬送ガイド部１１ｊを備えている。この搬送ガイド部１１ｊは、板バネ１１の一側部を突出させ、かつ他の部分よりも少し高くなるように曲げることにより板バネ１１と一体に形成されている。搬送ガイド部１１ｊは、上述の最上段のトレイ７に挿入されてきた最上段のディスク２の先端側が押え片部１１ａで押さえられる位置まで最上段のディスク２の移動をガイドするように機能する。
【００６１】
最上段のトレイ７の板バネ１１の前面側には、ガイド支柱１３を挿通するための貫通孔１１ｋがディスクトレイ部７ａ及び樹脂部材９に形成された貫通孔１２に対応する位置に貫通して形成されている。
【００６２】
また、ディスク収納部３には、図３に示すように、最下段のトレイ７の下方に位置して、ディスク昇降台１６が設けられている。このディスク昇降台１６は、略矩形状の水平板１６ａと、この水平板１６ａの両側縁部から上方に向かって折り曲げられてなる鉛直板１６ｂ，１６ｃとを有し、これら鉛直板１６ｂ，１６ｃの側板１ｂ，１ｃと対向する面には、トレイ７の主面と略平行に並ぶ一対のピン１７ａ，１７ｂが、それぞれ側板１ｂ，１ｃに向かって突出形成されている。また、ディスク昇降台１６には、水平板１６ａの各コーナー部に位置して貫通孔１８が穿設されている。ディスク昇降台１６は、これら貫通孔１８に上述した４本のガイド支柱１３が挿通されることにより、上述した６枚のトレイ７と共に、ガイド支柱１３に沿って移動自在に支持されている。
【００６３】
そして、天井板１ｅ，底板１ａには４本のガイド支柱１４の上端，下端が固着され、それぞれのガイド支柱１４はバネ受け９ａに挿通されている。そして、ガイド支柱１４を囲むようにして設けられた付勢手段としてのコイルバネ１５の下端がバネ受け９ａの下端の挿通孔９ｂに当接している。
【００６４】
一方、側板１ｂ、１ｃには、これらガイド支柱１３に沿って移動するディスク昇降台１６の一対のピン１７ａ，１７ｂに対応した一対の鉛直スリット１９ａ，１９ｂが穿設されている。ディスク昇降台１６は、これら側板１ｂ，１ｃに穿設された鉛直スリット１９ａ，１９ｂに、一対のピン１７ａ，１７ｂを挿通し、筐体の外部へと突出させている。したがって、ディスク昇降台１６は、鉛直方向に移動するのに伴って、一対のピン１７ａ，１７ｂが鉛直スリット１９ａ，１９ｂ内をスライドすることになる。
【００６５】
このディスク収納部３では、ディスク昇降台１６上に６枚のトレイ７が積み重ねられた状態で載置されるとともに、４本のガイド支柱１４に挿通されたコイルバネ１５が、最上段のトレイ７のバネ受け部９ａに挿入されることで、これらディスク昇降台１６及び６枚のトレイ７を底板１ａ側へと付勢している。
【００６６】
ディスク挿脱装置５は、図１，図２及び図１２に示すように、ディスク挿脱口４が設けられた前面板１ｄに配設されている。尚、図１２は、このディスク挿脱装置５を筐体内部から見た要部斜視図である。
【００６７】
このディスク挿脱装置５は、ディスク挿脱口４に沿って互いに対向配置された一対の駆動ローラ３０及び従動ローラ３１を備えている。従動ローラ３１は、駆動ローラ３０に向かって付勢されている。ここで、駆動ローラ３０は、図示しない駆動モータと、この駆動モータの駆動力を伝達するギア群により回転駆動される。
【００６８】
そして、このディスク挿脱装置５は、一対の駆動ローラ３０及び従動ローラ３１にディスク２を挟み込みながら、駆動ローラ３０を回転駆動させることにより、ディスク挿脱口４を通してディスク２の挿入又は排出を行う。
【００６９】
また、ディスク挿脱装置５は、図２及び図１２に示すように、駆動ローラ３０及び従動ローラ３１によりディスク２の挿入が行われた後に、更に所定量だけディスク２を自動的に筐体内部へと押し込むディスク押込機構３３を備えている。
【００７０】
このディスク押込機構３３は、一対の駆動ローラ３０及び従動ローラ３１の背面側に、これら一対の駆動ローラ３０及び従動ローラ３１と直交する一対の縦ローラ３４を有している。この一対の縦ローラ３４は、支軸３５が支持部材３６を介して回転自在に軸支されている。
【００７１】
支持部材３６は、水平方向に移動可能な状態で前面板１ｄに取り付けられている。また、支持部材３６には、一対の縦ローラ３４を互いに近接する方向に付勢するためコイルバネ３７が設けられており、このコイルバネ３７により互いに近接する方向に付勢されている。
【００７２】
支持部材３６及び縦ローラ３４は、上述した駆動ローラ３０及び従動ローラ３１により挿入されたディスク２がこのローラにより挿入可能な位置から、所定量だけディスク収納部３の内部へ押し込むことで、トレイ７上の適切な位置にディスク２を載置させることができる。
【００７３】
ディスク押込機構３３は、一対の縦ローラ３４がディスク２を挟み込みながらディスク２の挿脱方向の位置決めをしている。そして、一対の縦ローラ３４よりも下方に位置するディスク２に対しては、底板１ａから立設される一対の位置決めロッド３８により位置決めがなされている。また、一対の縦ローラ３４よりも上方に位置するディスク２に対しては、天井板１ｅから立設されると共に、一対の位置決めロッド３８の延長線上に位置する図示しない一対の位置決めロッドにより位置決めがなされている。
【００７４】
また、ディスク挿脱装置５は、図１及び図２に示すように、前面板１ｄに設けられたディスク挿脱口４の開閉を行うシャッタ機構３９を備えている。
【００７５】
このシャッタ機構３９は、ディスク挿脱口４に対応した開口部４０ａが穿設された略矩形状のシャッタ４０を有しており、このシャッタ４０が鉛直方向に移動可能な状態で前面板１ｄに取り付けられている。そして、このシャッタ機構３９は、シャッタ４０を上昇させることにより、このシャッタ４０の開口部４０ａとディスク挿脱口４とを一致させて、ディスク挿脱口４を開放する一方、シャッタ４０を下降させることにより、ディスク挿脱口４を閉塞する。
【００７６】
また、このシャッタ機構３９は、前面板１ｄに沿った方向（左右方向）に移動自在とされた断面略Ｌ字状の左右スライド板４１を有しており、この左右スライド板４１が底板１ａと前面板１ｄとのエッジに沿って取り付けられており、図示しないコイルバネにより一方向（右側）へ付勢されている。
【００７７】
左右スライド板４１のシャッタ４０と対向する面には、一対のスライドピン４２が突設され、シャッタ４０には、これら一対のスライドピン４２に対応した一対のカム孔４３が所定の形状に穿設されている。左右スライド板４１は、一方向へ付勢され、一対のスライドピン４２がカム孔４３内の右側端部に位置することになる。この一対のカム孔４３は、左側端部よりも右側端部が上方に位置する屈曲した形状を有しているため、シャッタ４０は、下方へと付勢され、ディスク挿脱口４を閉塞することになる。
【００７８】
また、このシャッタ機構３９は、図２及び図１２に示すように、底板１ａの左側端部側に、側板１ｂ，１ｃに沿った方向（前後方向）に移動自在とされた前後スライド板４６と、この前後スライド板４６と左右スライド板４１とを連結する略Ｌ字状の連結レバー４７とを有している。
【００７９】
シャッタ機構３９は、後述する外スライダ１１１が背面側にスライドするのに伴って、前後スライド板４６が背面側にスライドされ、回動される連結レバー４７を介して左右スライド板４１が左側方向にスライドされることによりシャッタ４０を上方へ押し上げて、ディスク挿脱口４を開放する。
【００８０】
ピックアップ装置６は、図２及び図１３に示すように、ディスク収納部３の背面側に配設されたピックアップ昇降台５０上に搭載されている。尚、図１３は、このピックアップ装置６の外観を示す要部斜視図である。
【００８１】
ピックアップ昇降台５０は、このピックアップ装置６の昇降動作させるためのものであり、水平板５０ａと、この水平板５０ａの両側縁部から立設された鉛直板５０ｂ，５０ｃとが一体に形成されている。
【００８２】
ピックアップ昇降台５０は、鉛直板５０ｂ，５０ｃに一対のピン５１ａ，５１ｂが設けられ、この一対のピン５１ａ，５１ｂが側板１ｂ，１ｃに穿設された鉛直スリット５２ａ，５２ｂ内を鉛直方向にスライドして鉛直方向に移動する。
【００８３】
また、鉛直板５０ａ，５０ｂには、側板１ｂ，１ｃと対向する面とは反対側の面に位置して、樹脂からなる一対の分離カム５３が設けられている。この一対の分離カム５３及び鉛直板５０ｂ，５０ｃは、対応するガイドピン及びガイド溝を有しており、分離カム５３は、鉛直板５０ｂ，５０ｃに沿って前後方向にスライド可能とされている。
【００８４】
この一対の分離カム５３は、図２及び図３に示すように、前後方向にスライドすることにより、上述したディスク収納部３内に積み重ねられた６枚のトレイ７のうち、選択されたディスク（以下、「選択ディスク」という。）２が載置されたトレイ（以下、「選択トレイ」という。）７を保持しながら、この選択トレイ７の上下に空間を形成する。
【００８５】
一対の分離カム５３は、図３及び図１４に示すように、全体略矩形状の平板部材からなり、上述したトレイ７の両側に設けられた一対のピン１０ａ，１０ｂのうち、前面側のピン１０ａと対向する面５３ａが、背面側のピン１０ｂと対向する面５３ｂよりも、一対のピン１０ａ，１０ｂの間の距離だけ前方に向かって突出形成された形状を有している。
【００８６】
また、これら一対のピン１０ａ，１０ｂと対向する面５３ａ，５３ｂには、一対のピン１０ａ，１０ｂが嵌入されるスリット５４，５５が形成されている。これらスリット５４，５５は、一対のピン１０ａ，１０ｂと対向する面５３ａ，５３ｂの中間位置から長手方向の中途部に亘って、第１の嵌入部５４ａ，５５ａと、この第１の嵌入部５４ａ，５５ａよりも下段に位置する第２の嵌入部５４ｂ，５５ｂと、この第２の嵌入部５４ｂ，５５ｂよりも下段に位置する第３の嵌入部５４ｃ，５５ｃとを形成しながら連続的に切り欠かれている。
【００８７】
また、これら一対のピン１０ａ，１０ｂと対向する面５３ａ，５３ｂは、その下端部が上端部よりも前方に位置する傾斜面とされている。（以下、この一対のピン１０ａ，１０ｂと対向する面５３ａ，５３ｂのことを、「傾斜面５３ａ，５３ｂ」という。）この傾斜面５３ａ，５３ｂは、トレイ７の両側に設けられた一対のピン１０ａ，１０ｂをスムーズに押し上げることができる角度に形成されている。
【００８８】
また、分離カム５３の下面５３ｃは、選択トレイ７の下段に位置するトレイ７を押さえ、上面５３ｄは、選択トレイ７の上段に位置するトレイ７を押し上げることができる。
【００８９】
また、ピックアップ装置６は、図１３に示すように、選択ディスク２を挟み込みながら、回転自在に保持するディスク保持部材である一対のチャックレバー５９を備えている。
【００９０】
この一対のチャックレバー５９は、下アーム６０と上アーム６１とを有し、基端部が回動自在にピックアップ昇降台５０に取り付けられている。
【００９１】
そして、一対のチャックレバー５９の先端部には、図１３に示すように、ディスク２を回転自在に保持するために、下アーム６０の先端部に、ディスク２が載置されるターンテーブル６３と、このターンテーブル６３を回転駆動するスピンドルモータ６４とが設けられている。
【００９２】
これに対して、上アーム６１の先端部には、上述したターンテーブル６３と共にディスク２を挟み込むチャックプレート６５と、このチャックプレート６５の外周縁部を回転自在に支持する支持板６６とが設けられている。
【００９３】
このピックアップ装置６では、選択ディスク２を一対のチャックレバー５９が挟み込みながら回転自在に保持すると共に、この一対のチャックレバー５９に挟み込まれたディスク２をスピンドルモータ６４が回転駆動することになる。
【００９４】
また、このピックアップ装置６は、図１３に示すように、下アーム６０の上アーム６１と対向する面上に、ディスク２の信号記録面に対して対物レンズ６７により集光されたレーザー光を照射しながら、この信号記録面から反射して戻ってくる戻り光を読み取ることにより、信号の再生を行うピックアップユニット６８を備えている。
【００９５】
このピックアップユニット６８は、下アーム６０と一体に成形されたガイドレール６９により、ディスク２の径方向に沿って移動自在とされている。
【００９６】
また、このピックアップ装置６は、図２及び図１２に示すように、上述した駆動モータの駆動力により一対のチャックレバー５９を回動させる回動機構７０を備えている。
【００９７】
この回動機構７０は、図示しない駆動モータと、この駆動モータの駆動力を伝達する歯車列７５とにより前後方向に駆動されるスライドバー７１を有している。また、回動機構７０は、駆動モータの駆動力のスライドバー７１への伝達を歯車列７５を移動させることで切り替える伝達切替機構７２を有する。スライドバー７１には、ピン７３が設けられており、一対のチャックレバー５９の下アーム６０には、このピン７３が挿通される長孔７４が設けられている。
【００９８】
回動機構７０は、スライドバー７１が前後方向にスライド操作されることにより、ピン７３が長孔７４に係合して、図１５に示すように、一対のチャックレバー５９をディスク２の略径方向である図１５中矢印Ｒ方向に支軸６２を中心に回動させる。
【００９９】
また、このピックアップ装置６には、ディスク２に対する一対のチャックレバー５９の狭持の切替を行う狭持切替機構８０が設けられており、一対のチャックレバー５９が所定の位置に回動されたときに、下アーム６０に対して上アーム６１が昇降動作するように設定されている。
【０１００】
ピックアップ昇降台５０の水平板５０ａには、図１３及び図１５に示すように、略円筒の一部分の形状に形成された円筒板８１と、円筒板８１と分離カム５３との間に形成された分離カム５３と略平行な軸受板８２と、軸受板８２の円筒板８１と対向する面に取り付けられた拘束レバー８３とが設けられ、狭持切替機構８０を構成する。この拘束レバー８３の分離カム５３側の端部には、この分離カム５３に向かってピン８４が突出形成されている。一方、分離カム５３のガイドピン８４と対向する面には、図１４（ｂ）に示すように、このガイドピン８４が挿通されるカム溝８５が形成されている。
【０１０１】
ここで、分離カム５３が選択トレイ７を保持しながら、この選択トレイ７の上下に空間を形成する動作、並びに、挟持切替機構８０により選択トレイ７に載置された選択ディスク２を一対のチャックレバー５９が挟持する動作について、図１４を用いて説明する。
【０１０２】
尚、ここでは、ディスク収納部３内に積み重ねられた６枚のトレイ７を上方から順に１〜６番とし、上方から２番目のトレイ７を選択トレイ７とする。また、一対のピン１０ａ，１０ｂは、分離カム５３の傾斜面５３ａ，５３ｂに沿って、共に同じ動作にて押し上げられることから、背面側のピン１０ｂが、分離カム５４，５５の背面側の傾斜面５３ｂに沿って押し上げられる動作のみを説明するものとする。
【０１０３】
まず、図１４（ａ）中Ａの位置において、ディスク収納部３内に積み重ねられた６枚のトレイ７のうち、２番目の選択トレイ７と３番目のトレイ７との間に傾斜面５３ｂの下端部が位置するように、分離カム５３の高さが予め設定されている。そして、分離カム５３が前方方向に向かってスライドし、図１４（ａ）中Ｂの位置まで移動する。尚、この分離カム５３の高さ方向の位置決めは、後述するピックアップ昇降台５０の昇降動作により行われる。
【０１０４】
次に、分離カム５３が図１４（ａ）中Ｃの位置まで移動すると、２番目の選択トレイ７のピン１０ｂが、傾斜面５３ｂに沿って、この分離カム５３のスリット５５まで押し上げられる。また、３番目のトレイ７のピン１０ｂが、この分離カム５３の下面５３ｃに沿ってスライドする。これにより、１番目のトレイ７及び２番目の選択トレイ７が上昇すると共に、２番目の選択トレイ７と３番目のトレイ７との間に空間が形成される。
【０１０５】
次に、分離カム５３が図１４（ａ）中Ｄの位置まで移動すると、２番目の選択トレイ７のピン１０ｂが、スリット５５の第１の嵌入部５５ａ内をスライドすると共に、１番目のトレイ７のピン１０ｂが、スリット５５よりも上方に位置する傾斜面５３ｂに沿って、この分離カム５３の上面５３ｄまで押し上げられる。これにより、１番目のトレイ７と２番目の選択トレイ７との間に空間が形成され、この選択トレイ７の上下には、一対のチャックレバー５９が進入するのに十分な空間が形成される。
【０１０６】
次に、分離カム５３が図１４（ａ）中Ｅの位置まで移動すると、１番目のトレイ７のピン１０ｂが、この分離カム５３の上面５３ｄに沿ってスライドすると共に、２番目の選択トレイ７のピン１０ｂが、スリット５５の第２の嵌入部５５ｂ内をスライドする。これにより、一対の分離カム５３に保持された２番目の選択トレイ７が降下し、下アーム６０のターンテーブル６３上に選択ディスク２が載置される。
【０１０７】
次に、分離カム５３が図１４（ａ）中Ｆの位置まで移動すると、２番目のトレイ７のピン１０ｂが、スリット５５の第３の嵌入部５５ｃ内をスライドする。これにより、一対の分離カム５３に保持された２番目の選択トレイ７がさらに降下し、この選択トレイ７とターンテーブル６３上に載置された選択ディスク２とが分離される。
【０１０８】
尚、分離カム５３が後方に向かってスライドすることにより、上述した動作の逆の動作が行われる。
【０１０９】
一方、挟持切替機構８０は、分離カム５３の前後方向の移動する際に、ガイドピン８４が分離カム５３のカム溝８５の図１４（ｂ）中Ａの位置とＤの位置との間でスライドして、下アーム６０のターンテーブル６３と上アーム６１のチャックプレート６５との間には、選択トレイ７を通過させるのに十分な空間が形成されている。
【０１１０】
そして、この挟持切替機構８０は、ガイドピン８４が分離カム５３のカム溝８５内の図１４（ｂ）中Ｄの位置とＦの位置との間でスライドする時に、下アーム６０に対して上アーム６１が降下し、これら下アーム６０のターンテーブル６３と上アーム６１のチャックプレート６５との間で選択ディスク２の中心孔２ａを挟み込むことになる。
【０１１１】
以上のように構成されたピックアップ装置６は、ディスクチェンジャー装置を構成するのみならず、トレイ７を有するディスク収納部３とともに本発明を適用したディスクドライブ装置を構成する。
【０１１２】
ところで、上述したディスク挿脱装置５は、図１３及び図１６に示すように、上述したディスク収納部３に収納されたディスク２をディスク挿脱口４から排出する際に、ディスク２を所定量だけディスク挿脱口４側へと押し出すディスク押出機構９０を備えている。
【０１１３】
具体的に、このディスク押出機構９０は、トレイ７上に載置されたディスク２の背面側の両端近傍に位置して、ディスク２の面内方向に回動自在とされた一対の押出レバー９１と、分離カム５３が背面側に移動した際に、一対の押出レバー９１を固定軸９３を中心に前面側へと回動させる一対の押出プレート９２とを有している。一対の押出プレート９２には、前面側に第１の折曲部９２ａと、背面側に第２の折曲部９２ｂが設けられている。そして、一対の押出レバー９１には、第１の屈曲部９２ａと係合する被係合部９１ａが設けられている。
【０１１４】
このディスク押出機構９０は、分離カム５３が背面側へ移動するのに伴って、分離カム５３が押出プレート９２の第２の折曲部９２ｂを押圧し、押出プレート９２を背面側へとスライドさせ、押出プレート９２の第１の折曲部９２ａが、押出レバー９１の被係合部９１ａを押圧し、この押出レバー９１の先端部を前面側へと回動させ、この押出レバー９１が、ディスク２を所定量だけディスク挿脱口４側へと押し出す。
【０１１５】
また、装置本体１は、図１及び図２に示すように、上述したピックアップ昇降台５０を昇降動作させると共に、一対の分離カム５３を前後方向に移動動作させるための動作装置１００を備えている。
【０１１６】
具体的に、この動作装置１００は、一対の側板１ｂ，１ｃの外側に位置して、前後方向に移動自在とされ、略矩形状の平板部材からなる一対の内スライダ１０１及び外スライダ１１１を備えている。
【０１１７】
内スライダ１０１には、側板１ｂ，１ｃに設けられるガイドピン１１５ａ，１１５ｂが挿通される一対のガイド孔１０２ａ，１０２ｂが前後方向に亘って形成されている。また、内スライダ１０１には、ピックアップ昇降台５０に設けられた一対のピン５１ａ，５１ｂが挿通される第１のスリット１０３ａ，１０３ｂと、ディスク昇降台１６に設けられた一対のピン１７ａ，１７ｂが挿通される第２のスリット１０４ａ，１０４ｂとが形成されている。
【０１１８】
外スライダ１１１には、側板１ｂ，１ｃのガイドピン１１５ａ，１１５ｂが挿通される一対のガイド孔１１２ａ，１１２ｂと、ディスク昇降台１６の両側に設けられた一対のピン１７ａ，１７ｂが挿通されるスリット１１３ａ，１１３ｂとが形成される。
【０１１９】
また、外スライダ１１１は、背面側の端部に位置して、内方に向かって折り曲げられた第１の折曲部１１１ａを有し、図３に示す一対の分離カム５３に鉛直方向に亘って形成された嵌合溝５６に嵌合され、これにより、分離カム５３が、外スライダ１１１の前後方向の移動に伴って、前後方向及び鉛直方向に移動することが可能となっている。
【０１２０】
また、この外スライダ１１１は、図２に示すように、前面側の下端部に、第２の折曲部１１１ｂを有し、上述した前後スライド板４６と係合している。そして、外スライダ１１１が背面側にスライドするのに伴って、前後スライド板４６を図２中矢印Ｍ１方向である背面側へと押圧し、連結レバー４７及び左右スライド板４１を介してシャッタ４０を図２中矢印Ｍ４方向へ押し上げ、ディスク挿脱口４を開放する。このとき、連結レバー４７は、図２中矢印Ｍ２方向へ回動され、左右スライド板４１は、図２中矢印Ｍ３方向へスライドされている。
【０１２１】
また、この動作装置１００は、図１及び図２に示すように、内スライダ１０１及び外スライダ１１１を前後方向にそれぞれ独立にスライドさせるスライダ駆動機構１１７を備えている。
【０１２２】
次に、以上のように構成されるディスクチェンジャー装置の全体の動作について説明する。
【０１２３】
このディスクチェンジャー装置では、ディスク収納部３へのディスク２の挿入或いはディスク収納部３からのディスク２の排出を行う挿脱モードと、ディスク収納部３に収納されたディスク２のうち、何れか１枚（選択ディスク２）を選択して再生を行う再生モードとがある。
【０１２４】
挿脱モードでは、上述した動作装置１００が内スライダ１０１及び外スライダ１１１を前後方向にスライドさせることによって、ディスク昇降台１６の一対のピン１７ａ，１７ｂが、内スライダ１０１の第２のスリット１０４ａ，１０４ｂ及び外スライダ１１１のスリット１１３ａ，１１３ｂ内をスライドするように、動作の設定が行われている。
【０１２５】
この挿脱モードにおいて、ディスク収納部３へのディスク２の挿入を行う場合（例えば、２番目のトレイ７にディスク２を挿入する場合）には、筐体の前面に設けられた図示しない操作パネルの操作ボタンから、例えば「２」ボタンを押した後に、「挿入」ボタンを押す。
【０１２６】
この場合、内スライダ１０１が後退することによって、一対のピン１７ａ，１７ｂを２番目の段差位置まで押し上げる。これにより、ディスク昇降台１６が上昇し、２番目のトレイ７がディスク挿脱口４と略一致した高さに設定される。
【０１２７】
次に、外スライダ１１１が後退することによって、第２の折曲部１１１ｂが、図２に示す前後スライド板４６を背面側へと押圧し、連結レバー４７を介してシャッタ４０が押し上げられる。これにより、ディスク挿脱口４が開放される。
【０１２８】
次に、開放されたディスク挿脱口４からディスク２を挿入すると、シャッタ４０の手前中央に配置された図示しないセンサーがディスク２の進入を感知し、上述したディスク挿脱装置５の駆動モータにより駆動ローラ３０が挿入方向に回転駆動される。これにより、一対の駆動ローラ３０及び従動ローラ３１に挟み込まれたディスク２がディスク収納部３の内部へと挿入される。
【０１２９】
ここで、ディスク挿脱口４から挿入されたディスク２は、一対の駆動ローラ３０及び従動ローラ３１により挿入可能な位置から、更に上述したディスク押込機構３３により、所定量だけディスク収納部３の内部へと押し込まれる。これにより、ディスク２が、２番目のトレイ７上に載置されると共に、板バネ１１の押え片部１１ａによりトレイ７上に保持される。
【０１３０】
このとき、トレイ７のディスクトレイ部７ａには、第１のガイド片７ｃが設けられているので、駆動ローラ３０及び従動ローラ３１により挿入されたディスク２の下面と、ディスクトレイ部７ａのディスク載置面との高さ位置がずれていた場合にも、第１のガイド片７ｃの傾斜部７ｅ，７ｆによりディスク２をガイドして確実且つ円滑にディスクトレイ部７ａ上に載置することが可能となる。
【０１３１】
また、ディスク２が一対の駆動ローラ３０及び従動ローラ３１から離間すると、図示しないリミットスイッチが作動して、駆動ローラ３０の回転駆動が停止すると共に、外スライダ１１１が前進することによって、第２の折曲部１１１ｂと共に、前後スライド板４６が前面側へと移動し、連結レバー４７を介してシャッタ４０が押し下げられる。これにより、ディスク挿脱口４が閉塞される。
【０１３２】
以上のようにして、２番目のトレイ７に対するディスク２の挿入を行うことができる。尚、２番目のトレイ７以外のトレイ７に対しても、上述した動作と同様の動作を行うことにより、任意のディスク２の挿入を行うことができる。
【０１３３】
一方、挿脱モードにおいて、ディスク収納部３からのディスク２の排出を行う場合（例えば、２番目のトレイ７からディスク２を排出する場合）には、筐体の前面に設けられた図示しない操作パネルの操作ボタンから、例えば「２」ボタンを押した後に、「排出」ボタンを押す。
【０１３４】
この場合、まず、一対のピン１７ａ，１７ｂが、内スライダ１０１が後退することによって、ディスク昇降台１６が上昇し、２番目のトレイ７がディスク挿脱口４と略一致した高さに設定される。そして、外スライダ１１１が後退することによって、ディスク挿脱口４が開放される。尚、以上のような動作は、ディスク挿入時と全く同じ動作である。
【０１３５】
次に、外スライダ１１１が後退することによって、外スライダ１１１と連結された分離カム５３が後退し、上述したディスク押出機構９０により、ディスク２が所定量だけディスク挿脱口４側へと押し出される。
【０１３６】
ここで、ディスク挿脱装置５の駆動ローラ３０は、「排出」ボタンを押すと同時に排出方向に回転駆動されている。これにより、一対の駆動ローラ３０及び従動ローラ３１に挟み込まれたディスク２が、ディスク収納部３の外部へと排出される。そして、ディスク２の背面側の一部が一対の駆動ローラ３０及び従動ローラ３１に挟み込まれている時に、図示しないリミットスイッチにより駆動ローラ３０が停止される。これにより、ディスク２の排出時における落下を防止することができる。
【０１３７】
このとき、トレイ７のディスクトレイ部７ａの内周縁部には、第２のガイド片７ｄが設けられているので、挿入されたディスク２のリブ２ｂがディスク面に対して直交して形成されていた場合にも、第２のガイド片７ｄの傾斜面７ｇによりディスク２の下面のリブ２ｂをガイドして確実且つ円滑にディスク２を排出することができる。
【０１３８】
また、トレイ７のディスクトレイ部７ａのディスク挿脱口４側には、第１のガイド片７ｃが設けられているので、ディスクトレイ部７ａのディスク載置面の高さと、駆動ローラ３０及び従動ローラ３１のディスク２を挟み込む位置とがずれていた場合にも、第１のガイド片７ｃに傾斜部７ｅ，７ｆが設けられていることにより、ディスク２に負荷がかかることなく円滑に排出することができる。
【０１３９】
次に、ディスク２が手動によりディスク挿脱口４から抜き取られると、ディスク２が排出されたことを図示しないセンサーが感知し、外スライダ１１１が前進することによって、ディスク挿脱口４が閉塞される。
【０１４０】
以上のようにして、２番目のトレイ７に対するディスク２の排出を行うことができる。尚、２番目のトレイ７以外のトレイ７に対しても、上述した動作と同様の動作を行うことにより、任意のディスク２の排出を行うことができる。
【０１４１】
ここで、挿脱モードから再生モードへの切替えは、外スライダ１１１が前進することによって、一対のピン１７ａ，１７ｂが、内スライダ１０１及び外スライダ１１１のスリット内の所定の位置に移動することにより行われる。
【０１４２】
また、再生モードでは、ディスク昇降台１６が最下位置に保持された状態となる。このとき、上述した伝達切替機構７２が切り替わることによって、回動機構７０が駆動モータにより駆動可能な状態となる。
【０１４３】
一方、再生モードから挿脱モードへの切替えは、外スライダ１１１が後退することによって、一対のピン１７ａ，１７ｂが上述の反対の動きをすることにより行われる。
【０１４４】
再生モードでは、ピックアップ昇降台５０の一対のピン５１ａ，５１ｂを、内スライダ１０１のスリット１０３ａ，１０３ｂに挿通させた状態で、内スライダ１０１のみを前後方向にスライドさせることによって、このピックアップ昇降台５０を任意の高さに昇降動作させることができる。
【０１４５】
この再生モードにおいて、選択トレイ７上に載置された選択ディスク２の再生を行う場合（例えば、２番目のトレイ７上に載置されたディスク２を再生する場合）には、筐体の前面に設けられた図示しない操作パネルの操作ボタンから、例えば「２」ボタンを押した後に、「再生」ボタンを押す。
【０１４６】
この場合、内スライダ１０１が後退することによって、一対のピン１７ａ，１７ｂが、所定の位置まで押し上げられる。これにより、ピックアップ昇降台５０が上昇し、２番目の選択トレイ７と３番目のトレイ７との間に、分離カム５３の傾斜面５３ｂの下端部が位置するように、このピックアップ昇降台５０の高さが設定される。
【０１４７】
次に、外スライダ１１１が前進することによって、この外スライダ１１１と連結された分離カム５３が前進する。これにより、上述した分離カム５３が選択トレイ７を保持しながら、この選択トレイ７の上下に空間を形成する動作、回動機構７０により一対のチャックレバー５９がディスク２の径方向に回動する動作、並びに、挟持切替機構８０により選択トレイ７に載置された選択ディスク２の中心孔２ａを一対のチャックレバー５９が挟持する動作が行われる。
【０１４８】
具体的には、分離カム５３が、図１２中Ａ〜Ｃの位置まで前進することによって、２番目の選択トレイ７のピン１０ａ，１０ｂが、傾斜面５３ａ，５３ｂに沿って、この分離カム５３のスリット５４，５５まで押し上げられる。また、３番目のトレイ７のピン１０ａ，１０ｂが、この分離カム５３の下面５３ｃに沿ってスライドする。このとき、３番目のトレイ７の両側に設けられた板バネ１１の折曲片部１１ｂが、分離カム５３の下面５３ｃによって下方へと押さえられ、この板バネ１１の押え片部１１ａがディスク２を押さえ込む。これにより、１番目のトレイ７及び２番目の選択トレイ７が上昇すると共に、２番目の選択トレイ７と３番目のトレイ７との間に空間が形成される。
【０１４９】
次に、分離カム５３が、図１２中Ｄの位置まで前進すると、２番目の選択トレイ７の１０ａ，ピン１０ｂが、スリット５４，５５の第１の嵌入部５４ａ，５５ａ内をスライドすると共に、１番目のトレイ７のピン１０ａ，１０ｂが、スリット５４，５５よりも上方に位置する傾斜面５３ａ，５３ｂに沿って、この分離カム５３の上面５３ｄまで押し上げられる。これにより、１番目のトレイ７と２番目の選択トレイ７との間に空間が形成され、この選択トレイ７の上下には、一対のチャックレバー５９が進入するのに十分な空間が形成される。
【０１５０】
また、選択トレイ７の下段に位置するトレイ７は、分離カム５３の下面５３ｃにより押さえられており、選択トレイ７の上段に位置するトレイ７は、上述したコイルバネ１５により分離カム５３の上面５３ｄへと付勢されている。これにより、トレイ７が車両の振動等の影響を受けてしまうのを防止することができる。
【０１５１】
また、分離カム５３が、図１４（ａ）及び図１４（ｂ）中Ｄの位置まで前進すると、図示しないセンサーがこれを感知し、駆動モータが回転駆動される。これにより、回動機構７０では、図２に示すスライドバー７１が、後方にスライドすることにより、一対のチャックレバー５９が、挿脱モードの位置から、再生モードの位置、すなわちディスク２の中心孔２ａの位置まで図１５中矢印Ｒ方向に回動される。また、一対のチャックレバー５９が再生モードの位置まで回動されると、図示しないリミットスイッチが駆動モータの回転駆動を停止する。
【０１５２】
次に、分離カム５３が、図１４（ａ）及び図１４（ｂ）中Ｅの位置まで前進すると、１番目のトレイ７の１０ａ，ピン１０ｂが、この分離カム５３の上面５３ｄに沿ってスライドすると共に、２番目の選択トレイ７のピン１０ａ，１０ｂが、スリット５４，５５の第２の嵌入部５４ｂ，５５ｂ内をスライドする。これにより、一対の分離カム５３に保持された２番目の選択トレイ７が降下し、下アーム６０のターンテーブル６３上に選択ディスク２が載置される。
【０１５３】
これに同期して、挟持切替機構８０では、ガイドピン８４が分離カム５３のカム溝８５内を、スライドして、下アーム６０に対して上アーム６１が降下し、これら下アーム６０のターンテーブル６３と上アーム６１のチャックプレート６５との間で選択ディスク２の中心孔２ａが挟み込まれる。
【０１５４】
次に、分離カム５３が、図１４（ａ）中Ｆの位置まで前進すると、２番目のトレイ７のピン１０ａ，１０ｂが、スリット５４，５５の第３の嵌入部５４ｃ，５５ｃ内をスライドする。ここで、選択ディスク２を押さえ込む板バネ１１の折曲片部１１ｂが、図１７に示すように、スリット５４，５５の第３の嵌入部５４ｃ，５５ｃの背面側の下面により押し上げられる。これにより、一対の分離カム５３に保持された２番目の選択トレイ７がさらに降下し、この選択トレイ７とターンテーブル６３上に載置された選択ディスク２とが分離される。
【０１５５】
そして、一対のチャックレバー５９に回転自在に保持された選択ディスク２に対して、上述した光学ピックアップユニット６８が径方向に移動しながら、信号の再生が行われる。
【０１５６】
一方、再生モードにおいて、一対のピン１７，１７の待機位置まで戻す動作は、上述した手順とは逆の手順により行われる。
【０１５７】
尚、２番目のトレイ７以外のトレイ７上に載置されたディスク２に対しても、上述した動作と同様の動作を行うことにより、任意のディスク２の再生を行うことができる。
【０１５８】
以上のように、本発明を適用したディスクトレイ７は、ディスク２を載置するディスクトレイ部７ａに略同一平面内に設けられ、挿入されたディスク２のディスク挿入端側と反対側に向けて突出して形成された第１のガイド片７ｃを有し、この第１のガイド片７ｃに傾斜面７ｅ，７ｆが形成され、ディスクトレイ部７ａのディスク載置面には、第１のガイド片７ｃを除いて保護部材としての保護層８が設けられていることで、保護部材により、ディスク２の損傷を防止するとともに、第１のガイド片７ｃの傾斜面部７ｅ，７ｆをディスク２の挿入・排出のガイドとすることにより、ディスク２の確実且つ滑らかな挿入・排出を実現する。
【０１５９】
このように、本発明を適用したディスクトレイ７は、ディスクの損傷を防止するとともに、確実且つ円滑なディスク２の挿入・排出を可能とし、ディスクドライブ装置又はディスクチェンジャー装置に用いられる場合にディスク挿脱口との高さ位置管理が有利となる。
【０１６０】
また、本発明を適用したディスクトレイ７は、ディスクトレイ部７ａに、載置されるディスク２の中心部分に対向する位置に切り欠き部７ｂが設けられ、ディスクトレイ部７ａのこの切り欠き部７ｂ側の端部、すなわち、内周縁部の第１のガイド片７ｃ反対側の位置に、ディスクトレイ部７ａと同一平面内に突出して形成された第２のガイド片７ｄが設けられ、この第２のガイド片７ｄに傾斜面７ｇが形成され、ディスクトレイ部７ａのディスク載置面には、第１及び第２のガイド片７ｃ，７ｄを除いて保護部材としての保護層８が設けられていることで、保護部材により、ディスク２の損傷を防止するとともに、第２のガイド片７ｄの傾斜面部７ｇをディスク排出時のガイドとすることにより、ディスク２の下方に突出したリブ２ｂの形状にかかわらず、このリブ２ｂをガイドして、確実且つ円滑な排出を実現する。
【０１６１】
また、このディスクトレイ７は、ディスク２の周縁を支持するディスクトレイ部７ａを有し、このディスクトレイ部７ａには、挿入されたディスク２の挿入端側を開放した開放部７ｊが形成されるように構成することで、小型化、軽量化及び材料の削減を実現するとともに、このディスクトレイ部７ａの開放部７ｊが形成された側の端部に、傾斜面部７ｈを設けることで、振動時によるディスク２が揺動された場合におけるディスク２の損傷を防止することを可能とする。また、このディスクトレイ７は、ディスクトレイ部７ａの載置面の面積を小さくすることで、この上に緩衝材として形成される樹脂層８の材料を削減することができ、低コスト化及び工程の簡素化を効果的に実現する。
【０１６２】
このように、ディスクトレイ７は、小型化及び軽量化を実現するとともに振動時におけるディスク２の損傷を防止する。
【０１６３】
また、ディスクトレイ７は、上述のように、小型化を実現するとともにディスク２の損傷を防止するためのディスクトレイ部７ａの形状及びこのディスクトレイ部７ａに形成される傾斜面部７ｈを例えばプレス打ち抜き等の打ち抜き加工により同時に形成することにより、工程を煩雑にすることなく、上述の効果を得ることができる。
【０１６４】
また、本発明を適用したディスクドライブ装置は、複数のディスク２がそれぞれ載置される複数のディスクトレイを有し、複数のディスク２が収納されるディスク収納部３と、このディスク収納部３に収納されるディスク２に対して信号の記録及び／又は再生を行う記録及び／又は再生部としてピックアップ装置６とを備え、このディスクトレイとして上述したディスクトレイ７を用いることにより、ディスク２の損傷を防止するとともに、小型化・軽量化を実現する。
【０１６５】
また、本発明を適用したディスクチェンジャー装置では、複数のディスク２がそれぞれ載置される複数のディスクトレイを有し、複数のディスク２が収納されるディスク収納部３と、ディスク収納部３に収納される複数のディスク２のうち何れか１枚を選択するディスク選択手段と、このディスク選択手段で選択されたディスク２に対して信号の記録及び／又は再生を行う記録及び／又は再生部としてピックアップ装置６とを備え、このディスクトレイとして上述したディスクトレイ７を用いることにより、ディスク２の損傷を防止するとともに、小型化・軽量化を実現する。
【産業上の利用可能性】
【０１６６】
尚、本発明は、上述したディスクチェンジャー装置のように、音声の再生を目的としたものに限定されず、音声の記録を行うものや、映像の記録及び／又は再生を行うものにも適用可能である。
【図面の簡単な説明】
【０１６７】
【図１】本発明を適用したディスクチェンジャー装置の装置本体の外観を示す斜視図である。
【図２】ディスクチェンジャー装置の装置本体の内部構造を示す分解斜視図である。
【図３】ディスク収納部の構造を示す分解斜視図である。
【図４】ディスクチェンジャー装置を構成するディスクトレイの内最上段以外のディスクトレイを示す平面図である。
【図５】ディスクトレイの図４に示すＸ−Ｘ’断面図である。
【図６】ディスクトレイにディスクが挿入される際に、ディスクトレイのディスクを載置する面とディスクの下面との高さの位置がずれていた場合のディスクの高さが修正されることを説明するための断面図である。
【図７】ディスクトレイからディスクが排出される際の第２のガイド片の機能を説明するための図であり、（ａ）は、本発明を適用したディスクトレイを示す断面図であり、（ｂ）は、これと比較するための比較例のディスクトレイを示す断面図である。
【図８】ディスクトレイの開放部が形成された側の端部に形成された傾斜面部の機能を説明するための図であり、（ａ）は、本発明を適用したディスクトレイを示す断面図であり、（ｂ）は、これと比較するための比較例のディスクトレイを示す断面図である。
【図９】ディスクトレイに設けられた板バネの構成を示す図であり、（ａ）は、最上段以外のディスクトレイに設けられる板バネを示す斜視図であり、（ｂ）は、最上段のディスクトレイに設けられる板バネを示す斜視図である。
【図１０】本発明を適用したディスクチェンジャー装置を構成するディスクトレイの内最上段のディスクトレイを示す平面図である。
【図１１】最上段のトレイの一部を破断して示す要部斜視図である。
【図１２】ディスク挿脱装置を筐体内部から見た要部斜視図である。
【図１３】ピックアップ装置の外観を示す斜視図である。
【図１４】分割カムの構造を示す図であり、（ａ）は、選択トレイの上下に空間を形成する動作を説明するための側面図であり、（ｂ）は、挟持切替機構の動作を説明するための側面図である。
【図１５】一対のチャックレバーの挿脱モードから再生モードに切り換わる状態を説明するための図であり、挿脱モードにおける一対のチャックレバーを示す平面図である。
【図１６】ディスク押出機構を示す平面図であり、
【図１７】分割カムがＦの位置まで移動した状態を示す透視側面図である。
【図１８】従来のディスクチェンジャー装置を示す斜視図である。
【符号の説明】
【０１６８】
１  装置本体、  ２  ディスク、  ３  ディスク収納部、  ４  ディスク挿脱口、  ５  ディスク挿脱装置、  ６  ピックアップ装置、  ７  ディスクトレイ、  ７ａ  ディスクトレイ部、  ７ｃ  第１のガイド片、  ７ｄ  第２のガイド片、  ７ｅ，７ｆ  傾斜面部、  ７ｇ  傾斜面部、  ７ｈ  傾斜面部、  ８  樹脂層、  ９  樹脂部材、  １０ａ，１０ｂ  ピン、  １１  板バネ、  １１ａ  押え片部、  １１ｂ  折曲片部、  １１ｃ  折曲片部、  １１ｄ  畝状突出部、  １１ｅ  ガイド部、  １２  貫通孔、  １３，１４  ガイド支柱、  １５  コイルバネ、  １６  ディスク昇降台、  ３０  駆動ローラ、  ３１  従動ローラ
【図１】
2008016135.tif 000003
【図２】
2008016135.tif 000004
【図３】
2008016135.tif 000005
【図４】
2008016135.tif 000006
【図５】
2008016135.tif 000007
【図６】
2008016135.tif 000008
【図７】
2008016135.tif 000009
【図８】
2008016135.tif 000010
【図９】
2008016135.tif 000011
【図１０】
2008016135.tif 000012
【図１１】
2008016135.tif 000013
【図１２】
2008016135.tif 000014
【図１３】
2008016135.tif 000015
【図１４】
2008016135.tif 000016
【図１５】
2008016135.tif 000017
【図１６】
2008016135.tif 000018
【図１７】
2008016135.tif 000019
【図１８】
2008016135.tif 000020